【手続補正書】
【提出日】平成31年4月24日(2019.4.24)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）におけるワイヤレス通信の方法であって、
アップリンク制御情報を生成することと、
アップリンクバーストのために無認可キャリアのクリアチャネルアセスメント（ＣＣＡ）を実行することを試みることと、
前記ＣＣＡが成功したとき、前記無認可キャリア上で前記アップリンク制御情報を送信することと、
ＣＣＡを実行するための前記ＵＥの試みが失敗したと前記ＵＥが決定したとき、
前記アップリンクバーストの後のサブフレーム中で、前記無認可キャリア上で前記アップリンク制御情報を送信すること、
異なるアップリンクバースト中で、前記無認可キャリア上で前記アップリンク制御情報を送信すること、または
異なるキャリア上で前記アップリンク制御情報を送信すること
のうちの１つを実行することと
を備える、方法。
【請求項２】
物理アップリンク制御チャネル（ＰＵＣＣＨ）リソースが、前記アップリンク制御情報のための前記アップリンクバーストの前記後のサブフレーム中で予約される、請求項１に記載の方法。
【請求項３】
基地局から受信されたシグナリングに基づいて、前記アップリンクバーストの前記後のサブフレーム中で予約された前記ＰＵＣＣＨリソースを決定することをさらに備える、請求項２に記載の方法。
【請求項４】
物理アップリンク制御チャネル（ＰＵＣＣＨ）リソースが、前記アップリンク制御情報のための前記無認可キャリアの前記異なるアップリンクバースト中で予約される、請求項１に記載の方法。
【請求項５】
基地局から受信されたシグナリングに基づいて、前記異なるアップリンクバースト中で予約された前記ＰＵＣＣＨリソースを決定することをさらに備える、請求項４に記載の方法。
【請求項６】
前記アップリンク制御情報が前記異なるアップリンクバースト中で前記無認可キャリア上で送信される前に、前記無認可キャリアの別のタイプのＣＣＡを実行することを試みることをさらに備える、請求項１に記載の方法。
【請求項７】
前記アップリンク制御情報が、前記アップリンクバーストと同じサブフレームまたは前記アップリンクバーストとは異なるサブフレーム中で前記異なるキャリア上で送信される、請求項１に記載の方法。
【請求項８】
前記アップリンク制御情報が、前記異なるキャリアまたは異なるサブフレームのうちの少なくとも１つの上で物理アップリンク共有チャネル（ＰＵＳＣＨ）送信と多重化される、請求項７に記載の方法。
【請求項９】
物理アップリンク制御チャネル（ＰＵＣＣＨ）リソースが、前記アップリンク制御情報のための前記異なるキャリア上で予約される、請求項１に記載の方法。
【請求項１０】
複数のキャリアの新しいＣＣＡを実行することと、
前記新しいＣＣＡをクリアする前記複数のキャリアのうちの１つまたは複数上で前記アップリンク制御情報を送信することと
をさらに備える、請求項１に記載の方法。
【請求項１１】
前記複数のキャリアのうちの２つまたはそれ以上が前記新しいＣＣＡをクリアする場合、アップリンク制御情報が、優先度リストに基づいて前記複数のキャリアのうちの１つの上で送信される、請求項１０に記載の方法。
【請求項１２】
基地局から前記優先度リストに関連する情報を受信することをさらに備える、請求項１１に記載の方法。
【請求項１３】
前記ＣＣＡの失敗の数がしきい値に達したと決定することと、
前記しきい値が達せられたとき、前記異なるキャリア上で前記アップリンク制御情報を送信することと
をさらに備える、請求項１に記載の方法。
【請求項１４】
前記異なるキャリアが認可キャリアである、請求項１に記載の方法。
【請求項１５】
前記認可キャリア上で前記アップリンク制御情報を前記送信することは、
前記認可キャリアの物理アップリンク共有チャネル（ＰＵＳＣＨ）中のリソースブロック（ＲＢ）の数がしきい値を超えるかどうかを決定することと、
ＲＢの前記数が前記しきい値を超えるとき、前記アップリンク制御情報を認可キャリアＰＵＳＣＨ送信と多重化することと、
ＲＢの前記数が前記しきい値を超えないとき、前記アップリンク制御情報を認可キャリアアップリンク制御情報と多重化することと
を備える、請求項１４に記載の方法。
【請求項１６】
前記アップリンク制御情報が前記認可キャリア上で送信されるとき、前記アップリンク制御情報のペイロードを低減することをさらに備える、請求項１５に記載の方法。
【請求項１７】
前記ＣＣＡが失敗したと決定された場合、前記アップリンク制御情報は、前記アップリンクバーストの後のサブフレーム中で、前記無認可キャリア上で送信される、請求項１に記載の方法。
【請求項１８】
前記ＣＣＡが失敗したと決定された場合、前記アップリンク制御情報は、異なるアップリンクバースト中で、前記無認可キャリア上で送信される、請求項１に記載の方法。
【請求項１９】
ユーザ機器（ＵＥ）におけるワイヤレス通信のための装置であって、
メモリと、
前記メモリに結合された少なくとも１つのプロセッサと
を備え、前記少なくとも１つのプロセッサは、
アップリンク制御情報を生成することと、
アップリンクバーストのために無認可キャリアのクリアチャネルアセスメント（ＣＣＡ）を実行することを試みることと、
前記ＣＣＡが成功したとき、前記無認可キャリア上で前記アップリンク制御情報を送信することと、
ＣＣＡを実行するための前記ＵＥの試みが失敗したと前記ＵＥが決定したとき、
前記アップリンクバーストの後のサブフレーム中で、前記無認可キャリア上で前記アップリンク制御情報を送信すること、
異なるアップリンクバースト中で、前記無認可キャリア上で前記アップリンク制御情報を送信すること、または
異なるキャリア上で前記アップリンク制御情報を送信すること
のうちの１つを実行することと
を行うように構成された、装置。
【請求項２０】
物理アップリンク制御チャネル（ＰＵＣＣＨ）リソースが、前記アップリンク制御情報のための前記アップリンクバーストの前記後のサブフレーム中で予約される、請求項１９に記載の装置。
【請求項２１】
前記少なくとも１つのプロセッサが、基地局から受信されたシグナリングに基づいて、前記アップリンクバーストの前記後のサブフレーム中で予約された前記ＰＵＣＣＨリソースを決定するようにさらに構成された、請求項２０に記載の装置。
【請求項２２】
物理アップリンク制御チャネル（ＰＵＣＣＨ）リソースが、前記アップリンク制御情報のための前記無認可キャリアの前記異なるアップリンクバースト中で予約される、請求項１９に記載の装置。
【請求項２３】
前記少なくとも１つのプロセッサが、基地局から受信されたシグナリングに基づいて、前記異なるアップリンクバースト中で予約された前記ＰＵＣＣＨリソースを決定するようにさらに構成された、請求項２２に記載の装置。
【請求項２４】
前記少なくとも１つのプロセッサは、前記アップリンク制御情報が前記異なるアップリンクバースト中で前記無認可キャリア上で送信される前に、前記無認可キャリアの別のタイプのＣＣＡを実行することを試みるようにさらに構成された、請求項１９に記載の装置。
【請求項２５】
前記アップリンク制御情報が、前記アップリンクバーストと同じサブフレームまたは前記アップリンクバーストとは異なるサブフレーム中で前記異なるキャリア上で送信される、請求項１９に記載の装置。
【請求項２６】
前記アップリンク制御情報が、前記異なるキャリアまたは異なるサブフレームのうちの少なくとも１つの上で物理アップリンク共有チャネル（ＰＵＳＣＨ）送信と多重化される、請求項２５に記載の装置。
【請求項２７】
前記少なくとも１つのプロセッサが、
複数のキャリアの新しいＣＣＡを実行することと、
前記新しいＣＣＡをクリアする前記複数のキャリアのうちの１つまたは複数上で前記アップリンク制御情報を送信することと
を行うようにさらに構成され、
ここにおいて、前記複数のキャリアのうちの２つまたはそれ以上が前記新しいＣＣＡをクリアする場合、前記アップリンク制御情報が、優先度リストに基づいて前記複数のキャリアのうちの１つの上で送信される、請求項１９に記載の装置。
【請求項２８】
前記少なくとも１つのプロセッサが、基地局から前記優先度リストに関連する情報を受信するようにさらに構成された、請求項２７に記載の装置。
【請求項２９】
前記少なくとも１つのプロセッサは、
前記ＣＣＡの失敗の数がしきい値に達したと決定することと、
前記しきい値が達せられたとき、前記異なるキャリア上で前記アップリンク制御情報を送信することと
を行うようにさらに構成された、請求項１９に記載の装置。
【請求項３０】
前記異なるキャリアが認可キャリアであり、ここにおいて、前記少なくとも１つのプロセッサは、
前記認可キャリアの物理アップリンク共有チャネル（ＰＵＳＣＨ）中のリソースブロック（ＲＢ）の数がしきい値を超えるかどうかを決定することと、
ＲＢの前記数が前記しきい値を超えるとき、前記アップリンク制御情報を認可キャリアＰＵＳＣＨ送信と多重化することと、
ＲＢの前記数が前記しきい値を超えないとき、前記アップリンク制御情報を認可キャリアアップリンク制御情報と多重化することと、
前記アップリンク制御情報が前記認可キャリア上で送信されるとき、前記アップリンク制御情報のペイロードを低減することと
によって、前記認可キャリア上で前記アップリンク制御情報を送信するように構成された、請求項１９に記載の装置。
【請求項３１】
ユーザ機器（ＵＥ）におけるワイヤレス通信のための装置であって、
アップリンク制御情報を生成するための手段と、
アップリンクバーストのために無認可キャリアのクリアチャネルアセスメント（ＣＣＡ）を実行することを試みるための手段と、
前記ＣＣＡが成功したとき、前記無認可キャリア上で前記アップリンク制御情報を送信するための手段と、
ＣＣＡを実行するための前記ＵＥの試みが失敗したと前記ＵＥが決定したとき、
前記アップリンクバーストの後のサブフレーム中で、前記無認可キャリア上で前記アップリンク制御情報を送信すること、
異なるアップリンクバースト中で、前記無認可キャリア上で前記アップリンク制御情報を送信すること、または
異なるキャリア上で前記アップリンク制御情報を送信すること
のうちの１つを実行するための手段と
を備える、装置。
【請求項３２】
ユーザ機器（ＵＥ）におけるワイヤレス通信のためのコンピュータ実行可能コードを記憶する非一時的コンピュータ可読媒体であって、
アップリンク制御情報を生成することと、
アップリンクバーストのために無認可キャリアのクリアチャネルアセスメント（ＣＣＡ）を実行することを試みることと、
前記ＣＣＡが成功したとき、前記無認可キャリア上で前記アップリンク制御情報を送信することと、
ＣＣＡを実行するための前記ＵＥの試みが失敗したと前記ＵＥが決定したとき、
前記アップリンクバーストの後のサブフレーム中で、前記無認可キャリア上で前記アップリンク制御情報を送信すること、
異なるアップリンクバースト中で、前記無認可キャリア上で前記アップリンク制御情報を送信すること、または
異なるキャリア上で前記アップリンク制御情報を送信すること
のうちの１つを実行することと
を行うためのコードを備える、非一時的コンピュータ可読媒体。